(57)【要約】【課題】粒状感及び明暗差を十分に抑制する透光カバー及び照明装置を提供する。【解決手段】透光カバーは、光を照射する光源からの光を透過し、光源の光の照射角度より内側の第１の照射領域に配置され、光源から第１の距離だけ離れた第１のカバー部と、第１の照射領域とは異なる領域に配置され、光源から第１の距離とは異なる距離だけ離れた第２のカバー部と、を備える。【選択図】図４
2020126718.tif 000002
【特許請求の範囲】
【請求項１】
光を照射する光源からの光を透過し、前記光源の光の照射角度より内側の第１の照射領域に配置され、前記光源から第１の距離だけ離れた第１のカバー部と、
前記第１の照射領域とは異なる領域に配置され、前記光源から前記第１の距離とは異なる距離だけ離れた第２のカバー部と、
を備える透光カバー。
【請求項２】
前記第２のカバー部は、
前記第１の照射領域よりも外側の第２の照射領域に配置され、前記光源から前記第１の距離よりも短い第２の距離だけ離れた外側カバー部を有する
請求項１に記載の透光カバー。
【請求項３】
前記光源は複数設けられており、
前記第２のカバー部は、
複数の前記光源におけるそれぞれの前記第１の照射領域が重なる重複照射領域に配置され、複数の前記光源の中間から前記第１の距離よりも長い第３の距離だけ離れた重複カバー部を有する
請求項１又は請求項２に記載の透光カバー。
【請求項４】
前記第１のカバー部の少なくとも一部は、
第１の曲率を有する曲面形状をなしている
請求項１から請求項３のいずれか１項に記載の透光カバー。
【請求項５】
前記外側カバー部の少なくとも一部は、
前記第１の曲率よりも小さい第２の曲率を有する曲面形状をなしている
請求項２に従属する請求項４に記載の透光カバー。
【請求項６】
前記外側カバー部の少なくとも一部は、
平面形状をなしている
請求項２に従属する請求項４に記載の透光カバー。
【請求項７】
前記外側カバー部の少なくとも一部は、
前記第１の曲率よりも大きい第２の曲率を有する曲面形状をなしている
請求項２に従属する請求項４に記載の透光カバー。
【請求項８】
前記重複カバー部の少なくとも一部は、
前記第１の曲率よりも小さい第３の曲率を有する曲面形状をなしている
請求項３に従属する請求項４から請求項７のいずれか１項に記載の透光カバー。
【請求項９】
前記光源と、
請求項１から請求項８のいずれか１項に記載の透光カバーと、
を備える照明装置。
【発明の詳細な説明】
【技術分野】
【０００１】
本発明は、光源からの光を透過する透光カバー及び透光カバーを備える照明装置に関する。
【背景技術】
【０００２】
従来、光源からの光を透過する透光カバーを備える照明装置が知られている。透光カバーは、光を透過するため、内部に設けられた光源から照射される光が透光カバーに映り込み、透光カバーにおいて粒状感及び明暗差等が生じるおそれがある。このため、照明装置では、粒状感及び明暗差等を抑制することを目的として、従来、種々の提案がなされている。例えば、透光カバーに使用される透光性を有する樹脂の拡散グレードの最適化が挙げられる。また、ガラス製の透光カバーの内壁、外壁、膜又はシートに、拡散材を付与することが挙げられる。更に、樹脂製の透光カバーの内壁、外壁、膜又はシートに、拡散材を付与することが挙げられる。更にまた、ガラス製又は樹脂製の透光カバーの内壁、外壁、膜又はシートの表面に、ブラスター等によって凹凸を形成することが挙げられる。そして、透光カバーを出射した光をレンズで集光又は拡散することが挙げられる。特許文献１には、発光部と透光カバーとの距離を規定した照明体が開示されている。
【先行技術文献】
【特許文献】
【０００３】
【特許文献１】特開２００９−２９５２９９号公報
【発明の概要】
【発明が解決しようとする課題】
【０００４】
しかしながら、特許文献１に開示された照明体は、透光カバーの全体において、透光カバーと発光部との距離が均一であるため、透光カバーの内部における拡散性が十分でない。このため、粒状感及び明暗差を抑制する上で不十分である。
【０００５】
本発明は、上記のような課題を解決するためになされたもので、粒状感及び明暗差を十分に抑制する透光カバー及び照明装置を提供するものである。
【課題を解決するための手段】
【０００６】
本発明に係る透光カバーは、光を照射する光源からの光を透過し、光源の光の照射角度より内側の第１の照射領域に配置され、光源から第１の距離だけ離れた第１のカバー部と、第１の照射領域とは異なる領域に配置され、光源から第１の距離とは異なる距離だけ離れた第２のカバー部と、を備える。
【発明の効果】
【０００７】
本発明によれば、透光カバーが、光源から第１の距離だけ離れた第１のカバー部と、光源から第１の距離とは異なる距離だけ離れた第２のカバー部とを備える。このため、透光カバーの内部において、光源から出射された光の散乱性が高い。従って、粒状感及び明暗差を十分に抑制することができる。
【図面の簡単な説明】
【０００８】
【図１】本発明の実施の形態１に係る照明装置７０を示す組立斜視図である。
【図２】本発明の実施の形態１に係る照明装置７０を示す側面図である。
【図３】本発明の実施の形態１に係る照明装置７０を示す分解斜視図である。
【図４】本発明の実施の形態１に係る灯具７０２を示す断面図である。
【図５】本発明の実施の形態１の第１変形例に係る灯具７０２ａを示す断面図である。
【図６】本発明の実施の形態１の第２変形例に係る灯具７０２ｂを示す断面図である。
【図７】本発明の実施の形態２に係る灯具７０２ｄを示す断面図である。
【図８】本発明の実施の形態４に係る照明装置７０ｇを示す断面図である。
【発明を実施するための形態】
【０００９】
以下、本発明に係る透光カバー及び照明装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語を適宜用いるが、これは説明のためのものであって、これらの用語は本発明を限定するものではない。方向を表す用語としては、例えば、「上」、「下」、「右」、「左」、「前」、「後」等が挙げられる。
【００１０】
実施の形態１．
図１は、本発明の実施の形態１に係る照明装置７０を示す組立斜視図であり、図２は、本発明の実施の形態１に係る照明装置７０を示す側面図である。照明装置７０は、天井等の造営部９０に設けられ、例えば室内に光を照射するＬＥＤ照明である。図１及び図２に示すように、本実施の形態１に係る照明装置７０は、長手方向（矢印Ｘ方向）に延びるライン照明であり、特に、光源一体型ベース照明である。照明装置７０は、造営部９０に取り付けられる照明器具７０１と、照明器具７０１に着脱自在に取り付けられる灯具７０２とを備えている。
【００１１】
（照明器具７０１）
図３は、本発明の実施の形態１に係る照明装置７０を示す分解斜視図である。図３に示すように、照明器具７０１は、器具本体部１０と、器具側連結具１４と、端子台１５とを有している。器具本体部１０は、造営部９０に取り付けられる長手方向に延びる一面が開口した筐体であり、内部に灯具７０２が収容される収容部１７が形成されている。器具本体部１０は、底部１１と、２つの側部１２と、２つの端部蓋１３とを有している。
【００１２】
底部１１は、造営部９０に取り付けられる長手方向に延びる板状の部材である。２つの側部１２は、底部１１の幅方向（矢印Ｙ方向）における両端部から造営部９０と反対側において相互に近づくように延びる板状の部材である。２つの端部蓋１３は、底部１１の長手方向における両端部に設けられる台形板状の部材であり、底部１１の長手方向における端部と側部１２の長手方向における端部とを接続する。器具側連結具１４は、底部１１の両端部に設けられており、照明器具７０１に灯具７０２を引っ掛ける弾性部材からなる。端子台１５は、外部電源から電力を供給する電線（図示せず）が取り付けられる端子が設けられたものである。
【００１３】
（灯具７０２）
灯具７０２は、透光カバー５４を介して、室内に光を照射する。図３に示すように、灯具７０２は、電源装置６１と、灯具側連結部５６と、発光部５０と、透光カバー５４とを有している。電源装置６１は、灯具電源線６２を介して発光部５０に電力を供給するものである。電源装置６１は、給電線（図示せず）を介して端子台１５に接続されており、端子台１５を介して外部電源から電力が供給される。
【００１４】
（発光部５０、台座５３）
図４は、本発明の実施の形態１に係る照明装置７０を示す側面図であり、図２のＡ−Ａ断面図である。図４に示すように、発光部５０は、台座５３と、基板５２と、光源５１とを有している。台座５３は、透光カバー５４に設けられており、長手方向に延びる筐体である。台座５３の内部には、電源装置６１が収納されており、台座５３には基板５２が取り付けられている。台座５３は、例えばＳＧＣＣ、ＳＵＳ又はアルミニウム等の金属からなるヒートシンクであり、高い放熱性及び高い剛性を有している。なお、台座５３は、樹脂としてもよく、透光カバー５４等を支持するものでもよく、灯具７０２の外郭の一部を構成してもよい。また、本実施の形態１では、台座５３が設けられる場合について説明するが、台座５３を省略してもよい。
【００１５】
（基板５２）
基板５２は、台座５３に取り付けられる長手方向に延びる板状の部材であり、例えば複数の光源５１が１列に均等に並べて実装されている。なお、基板５２が台座５３を介せず直接透光カバー５４に取り付けられてもよい。この場合、台座５３が不要である。また、基板５２を例えば金属製の筐体としてもよい。
【００１６】
（光源５１）
光源５１は、光を照射する点状の複数のＬＥＤであり、基板５２に実装されて電気的に接続されている。図４に示すように、光源５１の光の照射角度θは、例えば１２０°である。光源５１は、例えば波長が４４０ｎｍ〜４８０ｎｍ程度の青色光を発するチップと、青色光を黄色光に波長変換する蛍光体とが樹脂パッケージの内部に設けられた素子としてもよい。この場合、光源５１は、青色光と黄色光とが合成された白色光を発する発光素子である。なお、光源５１は、単体チップの発光素子でもよいし、パッケージ品でもよいし、ＣＯＢ型発光モジュールでもよい。
【００１７】
（透光カバー５４）
透光カバー５４は、断面円弧状で長手方向に延びる有底筒状であり、光を透過する部材である。なお、透光カバー５４は、透明であってもよいし、乳白色であってもよい。透光カバー５４は、樹脂製であるが、ガラス製であってもよい。図３に示すように、透光カバー５４は、カバー主部５４１と、カバー取付部５４６と、カバー端部５４５とを有している。
【００１８】
（カバー主部５４１）
図４に示すように、カバー主部５４１は、光源５１から照射された光を内面５４８から入射させて外面５４７から出射させる。カバー主部５４１は、第１のカバー部５４２と、第２のカバー部５５０と、カバー取付部５４６とを有している。
【００１９】
（第１のカバー部５４２）
第１のカバー部５４２は、光源５１の光の照射角度θ＝１２０°より内側の第１の照射領域Ｅ１に配置される。また、第１のカバー部５４２は、光源５１から第１の距離Ｒｉ１だけ離れた位置に配置されている。ここで、第１の距離Ｒｉ１の基点は、光源５１の中心であるが、光源５１が発光素子である場合、発光素子の中心であり、光源５１がパッケージ品である場合、パッケージ品の発光上面である。即ち、光源５１の中心から第１のカバー部５４２の内面５４８までの距離が、第１の距離Ｒｉ１である。なお、光源５１の中心から第１のカバー部５４２の外面５４７までの距離が、第１の外面距離Ｒｏ１である。
【００２０】
第１のカバー部５４２の少なくとも一部は、第１の曲率φ１を有する曲面形状をなしている。第１の曲率φ１は、例えば第１の距離Ｒｉ１の逆数である。本実施の形態１では、第１のカバー部５４２の全てが、第１の曲率φ１を有する曲面形状をなしている。即ち、第１のカバー部５４２は、第１の距離Ｒｉ１を半径とした円弧形状をなしている。なお、光源５１の照射角度θは、１２０°に限らず、１４０°等としてもよい。
【００２１】
（第２のカバー部５５０、外側カバー部５４３）
第２のカバー部５５０は、第１の照射領域Ｅ１とは異なる領域に配置される。また、第２のカバー部５５０は、光源５１から第１の距離Ｒｉ１とは異なる距離だけ離れた位置に配置されている。本実施の形態１では、第２のカバー部５５０は、第１の照射領域Ｅ１よりも外側の第２の照射領域Ｅ２に配置され、光源５１から第１の距離Ｒｉ１よりも短い第２の距離Ｒｉ２だけ離れた外側カバー部５４３を有している。即ち、光源５１の中心から外側カバー部５４３の内面５４８までの距離が、第２の距離Ｒｉ２である。なお、光源５１の中心から外側カバー部５４３の外面５４７までの距離が、第２の外面距離Ｒｏ２である。
【００２２】
なお、外側カバー部５４３は、第１のカバー部５４２と接続されており、第２の距離Ｒｉ２は、一定値ではなく、第１のカバー部５４２から離れるに従って小さくなる。外側カバー部５４３の少なくとも一部は、第１の曲率φ１よりも小さい第２の曲率φ２を有する曲面形状をなしている。本実施の形態１では、外側カバー部５４３の全てが、第２の曲率φ２を有する曲面形状をなしている。なお、第２の曲率φ２は、第２の距離Ｒｉ２の逆数ではない。このように、第２のカバー部５５０は、第１のカバー部５４２の延長面から内側に減縮されたものとなっている（図４の矢印）。
【００２３】
本実施の形態１の透光カバー５４の寸法は、以下のとおりである。第１の距離Ｒｉ１＞第２の距離Ｒｉ２であり、第１の曲率φ１＞第２の曲率φ２である。
【００２４】
（カバー取付部５４６、カバー端部５４５）
図３及び図４に示すように、カバー取付部５４６は、外側カバー部５４３よりも外側に配置され、灯具７０２が照明器具７０１に取り付けられるときに、照明器具７０１の収容部１７に収容される。カバー端部５４５は、カバー主部５４１の長手方向の両端部に設けられ、カバー主部５４１の断面形状に沿った形状をなしている。カバー端部５４５は、カバー主部５４１の長手方向の両端部に設けられることにより、カバー主部５４１の両端部を塞ぐ。
【００２５】
本実施の形態１によれば、透光カバー５４が、光源５１から第１の距離Ｒｉ１だけ離れた第１のカバー部５４２と、光源５１から第１の距離Ｒｉ１とは異なる距離だけ離れた第２のカバー部５５０とを備える。透光カバー５４の全体において光源５１からの距離が同じである場合、光源５１から出射された光は、散乱せずにそのまま透光カバー５４を通過して出射する。これに対し、本実施の形態１は、第１のカバー部５４２と第２のカバー部５５０とで、光源５１からの距離が異なるため、光源５１から出射された光は均等に進行せず、透光カバー５４の内部で散乱する。このように、透光カバー５４は、内部における光源５１から出射された光の散乱性が高い。従って、光源５１から出射された光による粒状感及び明暗差を十分に抑制することができる。
【００２６】
従来、粒状感及び明暗差を抑制することを目的として、種々の提案がなされている。例えば、照明装置の反射効率の向上、点光源であるＬＥＤとカバーとの距離の拡大、例えば個数又はパッケージ外形を大きくすることによるＬＥＤの実装間隔の狭小化又はカバー若しくは膜の拡散度調整等が挙げられる。しかし、これらの技術は、高コスト化を招く。これに対し、本実施の形態１の照明装置７０は、透光カバー５４の形状を変化させるだけでよいため、低コストを維持したまま、光源５１及び照明の必要スペックを満たし且つ粒状感及び明暗差といった外観要素を満足する。なお、樹脂材料を用いた押出成形では、概して、肉厚が均一の場合よりも不均一である場合の方が成形性が悪化し、安定化した品質で量産することを妨げる傾向にある。
【００２７】
また、第２のカバー部５５０は、第１の照射領域Ｅ１よりも外側の第２の照射領域Ｅ２に配置され、光源５１から第１の距離Ｒｉ１よりも短い第２の距離Ｒｉ２だけ離れた外側カバー部５４３を有する。このため、光源５１から照射された光のうち、外側カバー部５４３をとおって側方に向かう光の量を増加させることができる。また、透光カバー５４の幅方向の長さが縮まり、また、台座５３の幅方向の長さも縮まるため、材料コストを削減することもできる。
【００２８】
照明装置７０は、長手方向に点状の光源５１が複数配置されたライン照明である。この場合、長手方向において透光カバー５４の光源５１からの距離が同じでも、本実施の形態１のように、断面方向において透光カバー５４の光源５１からの距離が異なるだけで、粒状感及び明暗差を抑制する効果は十分に得られる。従って、透光カバー５４は、押出成形を利用して効率的に製造することができる。
【００２９】
なお、本実施の形態１において、第１のカバー部５４２と外側カバー部５４３とは、透光カバー５４の外側に向かって突設するように接続されているが、これに限らない。例えば、第１のカバー部５４２と外側カバー部５４３とは、透光カバー５４の外側に膨らむ曲面で滑らかに接続されてもよい。このように接続されることによって、第１のカバー部５４２と外側カバー部５４３との接続部分の光学特性の急峻な変化を抑制することができる。また、第１のカバー部５４２と外側カバー部５４３との境界が目立ち難くなるので、透光カバー５４の意匠性も改善する。
【００３０】
（第１変形例）
図５は、本発明の実施の形態１の第１変形例に係る灯具７０２ａを示す断面図である。図５に示すように、透光カバー５４ａの外側カバー部５４３ａ及びカバー取付部５４６ａは、曲面形状ではなく平面形状をなしている。このように、カバー主部５４１ａの第２のカバー部５５０ａである外側カバー部５４３ａの少なくとも一部は、平面形状をなしている。
【００３１】
第１変形例の透光カバー５４ａの寸法は、以下のとおりである。第１の距離Ｒｉ１＞第２の距離Ｒｉ２である。
【００３２】
第１変形例では、外側カバー部５４３ａの全てが、平面形状をなしている。このため、光源５１から照射された光のうち、外側カバー部５４３ａをとおって側方に向かう光の量を増加させることができる。また、透光カバー５４ａの幅方向の長さが縮まり、また、発光部５０ａの台座５３ａの幅方向の長さも縮まるため、材料コストを削減することもできる。
【００３３】
（第２変形例）
図６は、本発明の実施の形態１の第２変形例に係る灯具７０２ｂを示す断面図である。図６に示すように、透光カバー５４ｂの外側カバー部５４３ｂ及びカバー取付部５４６ｂにおける第２の曲率φ２は、第１の曲率φ１よりも大きい。このように、カバー主部５４１ｂの第２のカバー部５５０ｂの外側カバー部５４３ｂの少なくとも一部は、第１の曲率φ１よりも大きい第２の曲率φ２を有する曲面形状をなしている。
【００３４】
第２変形例の透光カバー５４ｂの寸法は、以下のとおりである。第１の距離Ｒｉ１＞第２の距離Ｒｉ２であり、第１の曲率φ１＜第２の曲率φ２である。
【００３５】
第２変形例では、外側カバー部５４３ｂの全てが、第１の曲率φ１よりも大きい第２の曲率φ２を有する曲面形状をなしている。このため、光源５１から照射された光のうち、外側カバー部５４３ｂをとおって側方から斜め上方に向かう光の量を増加させることができる。また、透光カバー５４ｂの幅方向の長さが縮まり、また、発光部５０ｂの台座５３ｂの幅方向の長さも縮まるため、第１変形例よりも更に材料コストを削減することもできる。
【００３６】
実施の形態２．
図７は、本発明の実施の形態２に係る灯具７０２ｄを示す断面図である。本実施の形態２は、発光部５０ｄが有する複数の光源５１が台座５３ｄに設けられた基板５２ｄに２列に並べて実装されている点で、実施の形態１と相違する。本実施の形態２では、実施の形態１と共通する部分は同一の符号を付して説明を省略し、実施の形態１との相違点を中心に説明する。
【００３７】
（重複カバー部５４４）
図７に示すように、光源５１は、基板５２ｄの長手方向において２列に並べて実装されている。即ち、光源５１は、基板５２ｄの幅方向において２つ配置されている。本実施の形態２では、カバー主部５４１ｄの第２のカバー部５５０ｄは、重複カバー部５４４を有している。重複カバー部５４４は、複数の光源５１におけるそれぞれの第１の照射領域Ｅ１が重なる重複照射領域Ｅ３に配置される。即ち、重複照射領域Ｅ３は、第１の照射領域Ｅ１同士の間に位置する。また、重複カバー部５４４は、複数の光源５１の中央である仮想点５５から第１の距離Ｒｉ１よりも長い第３の距離Ｒｉ３だけ離れた位置に配置されている。なお、仮想点５５の中心から重複カバー部５４４の外面５４７までの距離が、第３の外面距離Ｒｏ３である。
【００３８】
ここで、第３の距離Ｒｉ３の基点は、幅方向に並べられた並列する２つの光源５１の中間に位置する仮想点５５である。即ち、仮想点５５から重複カバー部５４４の内面５４８までの距離が、第３の距離Ｒｉ３である。なお、仮想点５５から各光源５１までの距離をＤとする。重複カバー部５４４の少なくとも一部は、第１の曲率φ１よりも小さい第３の曲率φ３を有する曲面形状をなしている。第３の曲率φ３は、例えば第３の距離Ｒｉ３の逆数である。本実施の形態２では、重複カバー部５４４の全てが、第３の曲率φ３を有する曲面形状をなしている。即ち、重複カバー部５４４は、第３の距離Ｒｉ３を半径とした円弧形状をなしている。
【００３９】
ここで、仮想点５５の重力方向における直上に位置する透光カバー５４ｄの内面５４８を仮想頂点Ｔ１とし、並列する２つの光源５１の重力方向における直上に位置する透光カバー５４ｄの内面５４８をそれぞれ光源頂点Ｔ２とする。重複カバー部５４４は、仮想頂点Ｔ１から２つの光源頂点Ｔ２までを仮想頂点Ｔ１から第３の距離Ｒｉ３だけ離れた位置を維持しつつ描く円弧状をなしている。なお、外側カバー部５４３ｄ及びカバー取付部５４６ｄは、実施の形態１と同様の構成である。
【００４０】
本実施の形態２の透光カバー５４ｄの寸法は、以下のとおりである。第１の距離Ｒｉ１＞第２の距離Ｒｉ２であり、第３の距離Ｒｉ３＞第１の距離Ｒｉ１である。また、第１の曲率φ１＞第２の曲率φ２であり、第１の曲率φ１＞第３の曲率φ３である。
【００４１】
本実施の形態２によれば、第２のカバー部５５０ｄは、複数の光源５１におけるそれぞれの第１の照射領域Ｅ１が重なる重複照射領域Ｅ３に配置され、複数の光源５１の中間から第１の距離Ｒｉ１よりも長い第３の距離Ｒｉ３だけ離れた重複カバー部５４４を有する。このため、第１のカバー部５４２ｄと外側カバー部５４３ｄと重複カバー部５４４とで、光源５１からの距離が異なる。よって、光源５１から出射された光は均等に進行せず、透光カバー５４ｄの内部で散乱する。このように、透光カバー５４ｄは、内部における光源５１から出射された光の散乱性が高い。従って、光源５１から出射された光による粒状感及び明暗差を十分に抑制することができる。
【００４２】
照明装置７０は、長手方向に点状の光源５１が複数配置されたライン照明である。この場合、長手方向において透光カバー５４ｄの光源５１からの距離が同じでも、本実施の形態２のように、断面方向において透光カバー５４ｄの光源５１からの距離が異なるだけで、粒状感及び明暗差を抑制する効果は十分に得られる。従って、透光カバー５４ｄは、押出成形を利用して効率的に製造することができる。
【００４３】
なお、本実施の形態２において、重複カバー部５４４と第１のカバー部５４２ｄとは、光源頂点Ｔ２において透光カバー５４ｄの内側に向かって突設するように接続されているが、これに限らない。例えば、重複カバー部５４４と第１のカバー部５４２ｄとは、透光カバー５４ｄの内側に膨らむ曲面で滑らかに接続されてもよい。このように接続されることによって、重複カバー部５４４と第１のカバー部５４２ｄとの接続部分の光学特性の急峻な変化を抑制することができ、重複カバー部５４４と第１のカバー部５４２ｄとの境界が目立ち難くなるので、透光カバー５４ｄの意匠性も改善する。
【００４４】
実施の形態３．
本実施の形態３は、実施の形態１又は２の透光カバー５４が、光源一体型ベース照明以外の長尺状の灯具に適用される場合について例示する。この場合、照明装置７０は、直管ＬＥＤランプである。概して、直管ＬＥＤランプとしては、円筒形状の透光カバーを使用した例が知られているが、本実施の形態３のように、有底筒状の透光カバーを使用することもできる。
【００４５】
実施の形態４．
図８は、本発明の実施の形態４に係る照明装置７０ｇを示す断面図である。本実施の形態４は、照明装置７０ｇが電球形ＬＥＤランプである点で、実施の形態１と相違する。本実施の形態４では、実施の形態１、２、３と共通する部分は同一の符号を付して説明を省略し、実施の形態１、２、３との相違点を中心に説明する。
【００４６】
図８に示すように、照明装置７０ｇは、電球形ＬＥＤランプであり、口金６４と、発光部５０ｇと、透光カバー５４ｇとを備えている。口金６４は、造営部９０に取り付けられる筒状の部材である。発光部５０ｇは、口金６４に取り付けられる筒状の台座５３ｇと、基板５２ｇと、光源５１とを備えている。台座５３ｇの内部には、電源装置６１ｇが収納されている。透光カバー５４ｇのカバー主部５４１ｇは、実施の形態２と同様に、第１のカバー部５４２ｇと、第２のカバー部５５０ｇである外側カバー部５４３ｇ及び重複カバー部５４４ｇとを備えている。
【００４７】
従って、照明装置７０ｇが電球形ＬＥＤランプであっても、実施の形態１〜３と同様の効果を得ることができる。なお、照明装置７０ｇは、電球形ＬＥＤランプに限らず、ＬＥＤダウンライトとしてもよいし、ＬＥＤスポットライトとしてもよい。このように、照明装置７０ｇは、長尺状の灯具以外の灯具を備えることもできる。なお、電球形ＬＥＤランプ、ＬＥＤダウンライト又はＬＥＤスポットライト等に用いられる透光カバー５４ｇは、概して押出成形だけではなく、射出成形又はブロー成形等でも製造される。このため、より複雑な形状の透光カバー５４ｇを実現することができる。
【００４８】
なお、本実施の形態４の透光カバー５４ｇの寸法は、以下のとおりである。第１の距離Ｒｉ１＞第２の距離Ｒｉ２であり、第３の距離Ｒｉ３＞第１の距離Ｒｉ１である。また、第１の曲率φ１＞第２の曲率φ２であり、第１の曲率φ１＞第３の曲率φ３である。本実施の形態４の照明装置７０ｇは、射出成形及びバルーン式等の製造方法を用いるライン照明以外の透光カバー５４ｇを使用することについて説明している。
【００４９】
上述した実施の形態及び変形例の複数の部分を組み合わせて実施しても構わない。あるいは、上述した実施の形態及び変形例のうち、１つの部分を実施しても構わない。そのほか、実施の形態を、全体としてあるいは部分的に、どのように組み合わせて実施しても構わない。
【００５０】
なお、上述した実施の形態は、本質的に好ましい例示であって、本発明の範囲、本発明の適用物の範囲、及び、本発明の用途の範囲を制限することを意図するものではない。上述した実施の形態は、必要に応じて種々の変更が可能である。
【符号の説明】
【００５１】
１０  器具本体部、１１  底部、１２  側部、１３  端部蓋、１４  器具側連結具、１５  端子台、１７  収容部、５０，５０ａ，５０ｂ，５０ｄ，５０ｇ  発光部、５１  光源、５２，５２ｄ，５２ｇ  基板、５３，５３ａ，５３ｂ，５３ｄ，５３ｇ  台座、５４，５４ａ，５４ｂ，５４ｄ，５４ｇ  透光カバー、５５  仮想点、５６  灯具側連結部、６１，６１ｇ  電源装置、６２  灯具電源線、６４  口金、７０，７０ｇ  照明装置、９０  造営部、５４１，５４１ａ，５４１ｂ，５４１ｄ，５４１ｇ  カバー主部、５４２，５４２ｄ，５４２ｇ  第１のカバー部、５４３，５４３ａ，５４３ｂ，５４３ｄ，５４３ｇ  外側カバー部、５４４，５４４ｇ  重複カバー部、５４５  カバー端部、５４６，５４６ａ，５４６ｂ，５４６ｄ  カバー取付部、５４７  外面、５４８  内面、５５０，５５０ａ，５５０ｂ，５５０ｄ，５５０ｇ  第２のカバー部、７０１  照明器具、７０２，７０２ａ，７０２ｂ，７０２ｄ  灯具、Ｅ１  第１の照射領域、Ｅ２  第２の照射領域、Ｅ３  重複照射領域、Ｒｉ１  第１の距離、Ｒｉ２  第２の距離、Ｒｉ３  第３の距離、Ｒｏ１  第１の外面距離、Ｒｏ２  第２の外面距離、Ｒｏ３  第３の外面距離、Ｔ１  仮想頂点、Ｔ２  光源頂点、φ１  第１の曲率、φ２  第２の曲率、φ３  第３の曲率。
【図１】
2020126718.tif 000003
【図２】
2020126718.tif 000004
【図３】
2020126718.tif 000005
【図４】
2020126718.tif 000006
【図５】
2020126718.tif 000007
【図６】
2020126718.tif 000008
【図７】
2020126718.tif 000009
【図８】
2020126718.tif 000010